(57)【特許請求の範囲】
【請求項１】
（ａ）ハウジングと、該ハウジングの上側に取付けられるカバー部材と、前記ハウジングとカバー部材との間に挿入されたカードモジュールを排出させる排出機構とを備えるカード用コネクタであって、
（ｂ）前記排出機構は、前記カードモジュールの挿入及び排出方向にスライド可能な操作部材と、枢軸の周囲に回転可能に嵌込まれる孔、及び、前記操作部材と係合する係合部を含み、前記枢軸を中心として枢動可能なレバー部材とを含み、
（ｃ）前記枢軸は、前記ハウジングに形成された開口部内に位置し、該開口部内において水平移動可能であり、その周囲の一部のみが連結部によって前記開口部の周縁に連結されていることを特徴とするカード用コネクタ。
【請求項２】
前記枢軸の周囲の半分以上は前記開口部の周縁から離間し、前記枢軸は前記カードモジュールの挿入方向に変位可能である請求項１に記載のカード用コネクタ。
【請求項３】
前記カバー部材は前記ハウジングの前端部の少なくとも一部を覆う前側板部を含み、前記レバー部材は前記前側板部の内面に対向する前端部を含む請求項２に記載のカード用コネクタ。
【請求項４】
前記前端部は、前記レバー部材に外力が付与されていない状態において、前記前側板部の内面から離間している請求項３に記載のカード用コネクタ。
【請求項５】
前記前端部は、前記枢軸の前記カードモジュールの挿入方向への変位によって、前記前側板部の内面に当接可能である請求項３に記載のカード用コネクタ。
【請求項６】
前記ハウジングは該ハウジングを補強するフレーム部材を含み、該フレーム部材は一部が前記枢軸内に埋込まれる枢軸補強部を含む請求項１〜５のいずれか１項に記載のカード用コネクタ。
【発明の詳細な説明】
【技術分野】
【０００１】
本発明は、カード用コネクタに関するものである。
【背景技術】
【０００２】
従来、携帯電話機等の電子機器においては、ＳＩＭ（Ｓｕｂｓｃｒｉｂｅｒ  Ｉｄｅｎｔｉｔｙ  Ｍｏｄｕｌｅ）カード等の各種カードを利用するために、カード用コネクタを備えている（例えば、特許文献１参照。）。
【０００３】
図９は従来のカード用コネクタの動作説明図である。
【０００４】
図において、８１１は、カード用コネクタのフレームであり、左右には図示されないカードをガイドするガイド部材８１３が接続されている。そして、前記フレーム８１１には、軸８２１ｃによってレバー部材８２１が枢着されている。また、一方のガイド部材８１３に沿ってスライド可能なように、プッシュロッド８２２が取付けられている。該プッシュロッド８２２の先端には、レバー部材８２１の一端に形成された力点部８２１ｂが係合する。また、レバー部材８２１の他端に形成された作用点部８２１ａは、カード用コネクタに挿入されたカードの前端に当接するか、又は、該前端に当接する図示されないブレード部材と係合する。
【０００５】
そして、前記カードをカード用コネクタから取出す際には、ユーザがプッシュロッド８２２の操作部８２２ａを押込み、プッシュロッド８２２をカードの挿入方向にスライドさせる。すると、プッシュロッド８２２の先端に係合しているレバー部材８２１の力点部８２１ｂがカードの挿入方向に変位してレバー部材８２１が枢動するので、該レバー部材８２１の作用点部８２１ａがカードの排出方向に変位する。これにより、前記カードは、レバー部材８２１の作用点部８２１ａ又は該作用点部８２１ａと係合するブレード部材によって押出され、カード用コネクタから排出される。
【先行技術文献】
【特許文献】
【０００６】
【特許文献１】特開平７−２７２７９３号公報
【発明の概要】
【発明が解決しようとする課題】
【０００７】
しかしながら、前記従来のカード用コネクタにおいて、軸８２１ｃは、フレーム８１１と一体成形されているので剛性が低く、カード用コネクタから取出す際に、プッシュロッド８２２からの力及びカードからの反力を受けて変形して傾斜してしまうので、レバー部材８２１がスムーズに枢動することができなくなる可能性がある。
【０００８】
本発明は、前記従来の問題点を解決して、カードモジュールを排出させる排出機構のレバー部材がスムーズに枢動することができるとともに、組立性が高く、信頼性の高いカード用コネクタを提供することを目的とする。
【課題を解決するための手段】
【０００９】
そのために、本発明のカード用コネクタにおいては、ハウジングと、該ハウジングの上側に取付けられるカバー部材と、前記ハウジングとカバー部材との間に挿入されたカードモジュールを排出させる排出機構とを備えるカード用コネクタであって、前記排出機構は、前記カードモジュールの挿入及び排出方向にスライド可能な操作部材と、枢軸の周囲に回転可能に嵌（はめ）込まれる孔（あな）、及び、前記操作部材と係合する係合部を含み、前記枢軸を中心として枢動可能なレバー部材とを含み、前記枢軸は、前記ハウジングに形成された開口部内に位置し、該開口部内において水平移動可能であり、その周囲の一部のみが連結部によって前記開口部の周縁に連結されている。
【００１０】
本発明の他のカード用コネクタにおいては、さらに、前記枢軸の周囲の半分以上は前記開口部の周縁から離間し、前記枢軸は前記カードモジュールの挿入方向に変位可能である。
【００１１】
本発明の更に他のカード用コネクタにおいては、さらに、前記カバー部材は前記ハウジングの前端部の少なくとも一部を覆う前側板部を含み、前記レバー部材は前記前側板部の内面に対向する前端部を含む。
【００１２】
本発明の更に他のカード用コネクタにおいては、さらに、前記前端部は、前記レバー部材に外力が付与されていない状態において、前記前側板部の内面から離間している。
【００１３】
本発明の更に他のカード用コネクタにおいては、さらに、前記前端部は、前記枢軸の前記カードモジュールの挿入方向への変位によって、前記前側板部の内面に当接可能である。
【００１４】
本発明の更に他のカード用コネクタにおいては、さらに、前記ハウジングは該ハウジングを補強するフレーム部材を含み、該フレーム部材は一部が前記枢軸内に埋込まれる枢軸補強部を含む。
【発明の効果】
【００１５】
本発明によれば、カードモジュールを排出させる排出機構のレバー部材がスムーズに枢動することができるので、高い組立性及び高い信頼性を得ることができる。
【図面の簡単な説明】
【００１６】
【図１】本発明の実施の形態におけるカード用コネクタの斜視図である。
【図２】本発明の実施の形態におけるシェルを取外した状態のカード用コネクタの斜視図である。
【図３】本発明の実施の形態におけるカードモジュールをシェルを取外したカード用コネクタに挿入した状態を示す三面図であって、（ａ）は前面図、（ｂ）は上面図、（ｃ）は側面図である。
【図４】本発明の実施の形態におけるカードモジュールをカード用コネクタに挿入した状態を示す第１の二面図であって、（ａ）は平面図、（ｂ）は（ａ）におけるＡ−Ａ矢視断面図である。
【図５】本発明の実施の形態におけるカードモジュールをカード用コネクタに挿入した状態を示す第２の二面図であって、（ａ）は側面図、（ｂ）は（ａ）におけるＢ−Ｂ矢視断面図である。
【図６】本発明の実施の形態におけるカード用コネクタのハウジングとイジェクトレバーとの位置関係を示す部分拡大斜視図である。
【図７】本発明の実施の形態におけるカード用コネクタのハウジングの枢軸を示す部分拡大上面図である。
【図８】本発明の実施の形態におけるカード用コネクタのハウジングの下側シェルを示す部分拡大斜視図である。
【図９】従来のカード用コネクタの動作説明図である。
【発明を実施するための形態】
【００１７】
以下、本発明の実施の形態について図面を参照しながら詳細に説明する。
【００１８】
図１は本発明の実施の形態におけるカード用コネクタの斜視図、図２は本発明の実施の形態におけるシェルを取外した状態のカード用コネクタの斜視図、図３は本発明の実施の形態におけるカードモジュールをシェルを取外したカード用コネクタに挿入した状態を示す三面図である。なお、図３において（ａ）は前面図、（ｂ）は上面図、（ｃ）は側面図である。
【００１９】
図において、１０２は本実施の形態におけるカードモジュールであり、図示されない電子機器の基板等に実装されたカード用コネクタ１に挿入される。つまり、カードモジュール１０２は、カード用コネクタ１を介して、電子機器に装着される。なお、該電子機器は、例えば、パーソナルコンピュータ、携帯電話機、スマートフォン、通信モデム、パッド型コンピュータ、デジタルカメラ、ビデオカメラ、音楽プレーヤ、ゲーム機、車両用ナビゲーション装置等であるが、いかなる種類の機器であってもよい。
【００２０】
前記カードモジュール１０２は、例えば、ＳＩＭカード、マイクロＳＩＭ（ｍｉｃｒｏＳＩＭ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、Ｔｒａｎｓ−Ｆｌａｓｈ（Ｒ）メモリカード等のメモリカード自体であってもよい。また、例えば、ｍｉｎｉＳＤ（Ｒ）カードを内部に収容したＳＤ（Ｒ）カード型アダプタのように、カード用コネクタ１に挿入するのに適した形状及び寸法を備え、内部にメモリカードを収容したカード用アダプタであってもよい。さらに、カード用コネクタ１に挿入するのに適した形状及び寸法を備え、内部にメモリカードを収容したカード用トレイであってもよい。要するに、前記カードモジュール１０２は、カード用コネクタ１に挿入可能であって、該カード用コネクタ１を介して、電子機器と導通可能なものであれば、いかなる種類のモジュールであってもよい。
【００２１】
本実施の形態においては、説明の都合上、カードモジュール１０２が、図３に示されるようなカード１０１を収容したカード保持部材としてのカード用トレイ１６１である場合について説明する。また、前記カード１０１は、例えば、ＳＩＭカード、マイクロＳＩＭカード、ＭＭＣ（Ｒ）、ＳＤ（Ｒ）カード、ｍｉｎｉＳＤ（Ｒ）カード、ｘＤピクチャーカード（Ｒ）、Ｔｒａｎｓ−Ｆｌａｓｈ（Ｒ）メモリカード等のメモリカードであり、いかなる種類のカードであってもよいが、本実施の形態においては、マイクロＳＤ（Ｒ）カード又はナノＳＩＭ（ｎａｎｏＳＩＭ）カードのいずれかを選択的に使用することができるものとして説明する。ＳＤ（Ｒ）カードの規格策定団体である「ＳＤカードアソシエーション」によると、マイクロＳＤ（Ｒ）カードの大きさは、前後長１５〔ｍｍ〕、幅１１〔ｍｍ〕、厚さ１．０〔ｍｍ〕と規定されている。また、カードの規格であるＥＴＳＩ  ＴＳ  １０２  ２２１  Ｖ１１．００によると、ナノＳＩＭカードの大きさは、前後長１２．３〔ｍｍ〕、幅８．８〔ｍｍ〕、厚さ０．６７〔ｍｍ〕と規定されている。なお、説明の都合上、ここでは、カード１０１がマイクロＳＤ（Ｒ）カードである場合についてのみ説明する。
【００２２】
図３に示されるように、マイクロＳＤ（Ｒ）カードであるカード１０１は、全体的に略矩（く）形の板状の形状を有するが、前縁の左右両端と側縁とを結合する角部の一方、具体的には、裏面１１１ｂにおける前方右角部には、凹部としての切欠部１１１ｃが形成されている。そして、裏面１１１ｂの反対側の面、すなわち、表面には、端子部材である図示されない電極パッドが、複数、前縁に沿って１列に並ぶように配設されている。
【００２３】
なお、本実施の形態において、カード用コネクタ１、カードモジュール１０２、カード用トレイ１６１及びカード１０１の各部の構成及び動作を説明するために使用される上、下、左、右、前、後等の方向を示す表現は、絶対的なものでなく相対的なものであり、カード用コネクタ１、カードモジュール１０２、カード用トレイ１６１、カード１０１又はそれらの部品が図に示される姿勢である場合に適切であるが、カード用コネクタ１、カードモジュール１０２、カード用トレイ１６１、カード１０１又はそれらの部品の姿勢が変化した場合には、姿勢の変化に応じて変更して解釈されるべきものである。
【００２４】
前記カード用トレイ１６１は、金属から成る板材に打抜き、折曲げ等の加工を施して一体的に形成された金属部材と、該金属部材の周囲の少なくとも一部を被覆して一体化するように、インサート成形乃至オーバーモールド成形と称される成形方法によって成形された絶縁性の樹脂から成る樹脂部材とを含む概略平板状の部材であるが、全体が金属部材から成るものであってもよいし、全体が樹脂部材からなるものであってもよい。
【００２５】
そして、前記カード用トレイ１６１は、幅方向に延在し、カード収容凹部１６６の前後を画定する前枠部１６５及び後枠部１６２と、前後方向に延在し、後枠部１６２の両端と前枠部１６５の両端とを連結して前記カード収容凹部１６６の左右を画定する左右一対の側枠部１６４とを含んでいる。なお、前記後枠部１６２の後面には、後板部１６３が一体的に形成されている。また、前記側枠部１６４の外側面には、カード用コネクタ１内に挿入されたカード用トレイ１６１が保持されて固定されるための保持用凹部１６８が形成されている。そして、一方の側枠部１６４と前枠部１６５とが連結される角部、具体的には、前方右角部には、凸部１６４ｃが形成されている。
【００２６】
また  カード用コネクタ１は、主として合成樹脂等の絶縁性材料から成るハウジング１１と、導電性の金属から成る板材に打抜き、折曲げ等の加工を施すことによって一体的に成形され、ハウジング１１の上側に取付けられたカバー部材としての上側シェル６１とを有する。該上側シェル６１は、概略矩形の天板部６２と、該天板部６２の前端縁から立設する前側板部６３ｆと、前記天板部６２の左右の側端縁から立設する横側板部６３ｓとを備え、ハウジング１１及びカード用コネクタ１に挿入されたカード用トレイ１６１の少なくとも一部の上方を覆うようになっている。なお、前記前側板部６３ｆと横側板部６３ｓとを統合的に説明する場合には、側板部６３として説明する。
【００２７】
前記横側板部６３ｓには、複数の掛止開口６３ａが形成され、上側シェル６１をハウジング１１の上側に取付けると、該ハウジング１１の側壁部１１ｅの外側面に形成された掛止突起１３に前記掛止開口６３ａが掛止され、これにより、上側シェル６１がハウジング１１に固定される。また、前記前側板部６３ｆ及び横側板部６３ｓの下端の任意の箇所には、前記前側板部６３ｆ及び横側板部６３ｓから立設し、上側シェル６１の外側に向けて延出する基板接続部としてのソルダーテール部６４が形成されている。該ソルダーテール部６４は、前記電子機器が備える、例えば、プリント配線基板等の基板の表面に形成された固定用パッド等に、はんだ付等によって固定される。これにより、カード用コネクタ１は、前記電子機器の基板等へ確実に実装される。そして、前記カード用コネクタ１の後方（図１における左下方）の挿入口１８から、カードモジュール１０２が挿入される。具体的には、ハウジング１１と上側シェル６１との間に形成される空間内にカード１０１を収容したカード用トレイ１６１が挿入される。
【００２８】
また、前記ハウジング１１は、金属から成る板材に打抜き、折曲げ等の加工を施して一体的に形成された端子としての複数の第１端子５１−１及び第２端子５１−２、並びに、下側シェル１２を含み、前記第１端子５１−１、第２端子５１−２及び下側シェル１２の周囲の少なくとも一部を被覆して一体化するように、インサート成形乃至オーバーモールド成形と称される成形方法によって成形された絶縁性の樹脂から成る樹脂部材を含む概略平板状の部材である。なお、前記下側シェル１２は、ハウジング１１を補強するフレーム部材であって、望ましくは、第１端子５１−１及び／又は第２端子５１−２と同じ部材から形成されるが、前記第１端子５１−１及び第２端子５１−２からは分離されて電気的に絶縁されている。
【００２９】
前記ハウジング１１は、概略矩形の平板状の端子保持部としての底壁部１１ｂと、ハウジング１１におけるカード用トレイ１６１の挿入方向（前後方向）前方の前端部１１ｆに沿って幅方向に延在し、底壁部１１ｂより肉厚の奥壁部１１ａと、ハウジング１１における左右両側縁に沿って挿入方向に延在し、底壁部１１ｂより肉厚の一対の側壁部１１ｅとを含んでいる。前記前端部１１ｆの少なくとも一部は上側シェル６１の前側板部６３ｆによって覆われ、側壁部１１ｅの少なくとも一部は上側シェル６１の横側板部６３ｓによって覆われている。前記奥壁部１１ａ及び側壁部１１ｅは、その下面が底壁部１１ｂの下面と面一であり、その上面が底壁部１１ｂの上面よりも上方に位置する。なお、ハウジング１１におけるカード用トレイ１６１の挿入方向後方の端部は、後端部１１ｒと称する。
【００３０】
ここで、前記底壁部１１ｂは、第１端子５１−１及び第２端子５１−２の露出部を収容して保持する第１端子保持凹部１１ｃ１及び第２端子保持凹部１１ｃ２を備える。前記第１端子保持凹部１１ｃ１及び第２端子保持凹部１１ｃ２は、底壁部１１ｂを板厚方向に貫通する開口である。
【００３１】
そして、第１端子５１−１は、ハウジング１１の幅方向に延在する１本の列を成すように、並んで配設されている。前記第１端子５１−１は、少なくとも一部が底壁部１１ｂに埋込まれ、また、少なくとも接触部５１ｃ１が第１端子保持凹部１１ｃ１内に露出し、はんだ付部としてのソルダーテール部５１ｄ１が底壁部１１ｂの下面に露出する。前記接触部５１ｃ１は、第１端子５１−１の腕部が備えるばね性によって上方に向けて付勢され、カード用コネクタ１内に保持されたカード用トレイ１６１のカード収容凹部１６６に収容されたマイクロＳＤ（Ｒ）カードの下面に露出する端子部材としての電極パッドの各々に接触する。また、前記ソルダーテール部５１ｄ１は、前記基板に形成された信号線、コンタクトパッド、端子等に、はんだ付等によって電気的に接続される。
【００３２】
また、第２端子５１−２は、ハウジング１１の前後方向に延在する列を成すように、並んで配設されている。図に示される例では、３つずつ、２列に並ぶように配設されている。前記第２端子５１−２の各々は、少なくとも一部が底壁部１１ｂに埋込まれ、また、少なくとも接触部５１ｃ２が第２端子保持凹部１１ｃ２内に露出し、はんだ付部としてのソルダーテール部５１ｄ２が底壁部１１ｂの下面に露出する。前記接触部５１ｃ２は、第１端子５１−２の腕部が備えるばね性によって上方に向けて付勢され、カード用コネクタ１内に保持されたカード用トレイ１６１のカード収容凹部１６６に収容されたナノＳＩＭカードの下面に露出する端子部材としての電極パッドの各々に接触する。また、前記ソルダーテール部５１ｄ２は、図示されない基板に形成された信号線、コンタクトパッド、端子等に、はんだ付等によって電気的に接続される。
【００３３】
なお、第１端子５１−１及び第２端子５１−２の数及び配置の形態は、カード１０１の電極パッドの数及び配置の形態に適合するように、適宜変更される。また、カード用トレイ１６１に収容されるカード１０１の種類が１つのみである場合には、第１端子５１−１又は第２端子５１−２を省略することもできる。
【００３４】
前記底壁部１１ｂと左右の側壁部１１ｅとの間には、下側シェル１２が露出している。そして、各側壁部１１ｅの内側には、カード用トレイ１６１を保持して固定するための保持用ばね部材２５が配設されている。該保持用ばね部材２５は、前後方向に延在する細長い板状のばね部材であって、その中央部付近にハウジング１１の幅方向内側に向って突出する保持用凸部２５ａが形成されている。該保持用凸部２５ａは、カード用トレイ１６１の保持用凹部１６８と係合し、これにより、カード用コネクタ１内に挿入されたカード用トレイ１６１を保持して固定する。
【００３５】
また、前記側壁部１１ｅの一方の内側には、カード用トレイ１６１を排出するためのトレイの排出機構におけるトレイ排出用の操作部材としてのプッシュロッド２２が前後方向にスライド可能に取付けられている。該プッシュロッド２２は、概略直線的な棒状又は帯板状の部材であるが、その後端部には、屈曲した操作部２２ａが一体的に接続され、その前端部には、イジェクトレバー２１の係合部である力点部２１ｂと係合する係合凹部２２ｂが形成されている。前記イジェクトレバー２１は、奥壁部１１ａに配設されたレバー部材であってトレイ排出機構におけるトレイ排出用の梃子（てこ）部材として機能する。そのため、イジェクトレバー２１は、支点部２１ｃにおいて枢動可能に底壁部１１ｂに取付けられている。そして、イジェクトレバー２１における前記支点部２１ｃを挟んで力点部２１ｂと反対側の端部は、カード用コネクタ１内に挿入されたカード用トレイ１６１の前枠部１６５に当接して、カード用トレイ１６１に排出方向の力を付与する作用点部２１ａとして機能する。また、前記イジェクトレバー２１の前端に位置する前端部２１ｄは、上側シェル６１の前側板部６３ｆの内面に対向している。
【００３６】
本実施の形態において、前記支点部２１ｃは、イジェクトレバー２１を厚さ方向に貫通する円筒形の孔であり、前記奥壁部１１ａに形成された円柱状の枢軸１５の周囲に回転可能に嵌込まれ、これにより、イジェクトレバー２１は、前記枢軸１５を中心として枢動する。なお、該枢軸１５は、前記ハウジング１１と一体的に形成された部材であって、前記奥壁部１１ａに形成された円形の開口部１５ａの中に位置し、前記枢軸１５の周面の一部のみが細い連結部１５ｂによって前記開口部１５ａの周縁に連結されているが、前記枢軸１５の周面の他の部分（少なくとも、半分以上の部分）は前記開口部１５ａの周縁から離間している。そのため、前記枢軸１５は、開口部１５ａ内において一種のフローティング状態となっていて、少なくともカード用トレイ１６１の挿入及び排出方向（挿抜方向）、すなわち、前後方向に水平移動可能となっている。なお、前記連結部１５ｂは、図に示される例においては単数であるが、複数形成することもできる。
【００３７】
そして、枢軸１５とともにイジェクトレバー２１が前方に移動すると、前記前端部２１ｄが上側シェル６１の前側板部６３ｆの内面に当接する。これにより、イジェクトレバー２１がプッシュロッド２２から前方に向けた力を受けたり、カード用トレイ１６１から前方に向けた反力を受けたりしても、前方への変位量が制限されるので、枢軸１５や連結部１５ｂは、変形したり、破損したりすることがなく、また、イジェクトレバー２１は、スムーズに枢軸１５の周囲を回転、すなわち、枢動することができる。
【００３８】
さらに、ハウジング１１には、カード用コネクタ１に挿入されたカード用トレイ１６１が、図３に示されるように、カード用コネクタ１内の所定位置（カード用トレイ１６１が保持用ばね部材２５によって保持されるとともに、カード用トレイ１６１にマイクロＳＤ（Ｒ）カードであるカード１０１が収容されている場合にカード１０１の電極パッドが対応する第１端子５１−１の接触部５１ｃ１と接触する位置）に到達したことを検出する検出スイッチの可動部材２７及び固定部材２８が配設されている。カード用トレイ１６１が前記所定位置に到達していない場合には、可動部材２７と固定部材２８とが接触しているので、検出スイッチは導通状態、すなわち、オン（ＯＮ）になっている。しかし、カード用トレイ１６１が前記所定位置に到達すると、可動部材２７がカード用トレイ１６１の前枠部１６５に当接して押され、これにより、可動部材２７が変位して固定部材２８から離間する。したがって、検出スイッチが非導通状態、すなわち、オフ（ＯＦＦ）になるので、カード用トレイ１６１が前記所定位置に到達したことが検出される。
【００３９】
次に、前記枢軸１５の構成及び該枢軸１５へのイジェクトレバー２１の取付状態について詳細に説明する。
【００４０】
図４は本発明の実施の形態におけるカードモジュールをカード用コネクタに挿入した状態を示す第１の二面図、図５は本発明の実施の形態におけるカードモジュールをカード用コネクタに挿入した状態を示す第２の二面図、図６は本発明の実施の形態におけるカード用コネクタのハウジングとイジェクトレバーとの位置関係を示す部分拡大斜視図、図７は本発明の実施の形態におけるカード用コネクタのハウジングの枢軸を示す部分拡大上面図、図８は本発明の実施の形態におけるカード用コネクタのハウジングの下側シェルを示す部分拡大斜視図である。なお、図４において（ａ）は平面図、（ｂ）は（ａ）におけるＡ−Ａ矢視断面図であり、図５において（ａ）は側面図、（ｂ）は（ａ）におけるＢ−Ｂ矢視断面図である。
【００４１】
本実施の形態におけるカード用コネクタ１は、ハウジング１１を補強するフレーム部材として、左右一対の下側シェル１２を備える。そして、図８に示されるように、いずれか一方（図に示される例では右方）の下側シェル１２の前端には、枢軸補強部１７が形成されることが望ましい。該枢軸補強部１７は、下側シェル１２の前端からハウジング１１の幅方向内側に向って延出する支持部１７ｂと、該支持部１７ｂの先端から立設し、上方に向けて延出する埋込み部１７ａとを含んでいる。該埋込み部１７ａは、図４（ｂ）に示されるように、枢軸１５の軸方向に延在し、枢軸１５の内部に埋込まれた状態になっている。また、図７に示されるように、支持部１７ｂは、水平方向に関して、連結部１５ｂと同様の位置にある。これにより、枢軸１５の強度が向上し、枢軸１５が損傷を受けたり、連結部１５ｂが破断したりすることが防止される。また、枢軸補強部１７によって補強されていても、枢軸１５は、少なくとも前後方向に、水平移動可能となっている。なお、枢軸補強部１７を省略することもできる。
【００４２】
図６には、カード用コネクタ１の組立工程の途中で、ハウジング１１にイジェクトレバー２１が取付けられた状態が示されている。イジェクトレバー２１を厚さ方向に貫通する円筒形の孔である支点部２１ｃは、奥壁部１１ａに形成された円柱状の枢軸１５の周囲に回転可能に嵌込まれている。なお、支点部２１ｃの内径は、枢軸１５の外径よりもわずかに大きく、イジェクトレバー２１が枢軸１５を中心としてスムーズに枢動可能ではあるが、枢軸１５に対して水平方向にがたつくことがない程度の大きさであることが望ましい。そして、図６に示されるように、イジェクトレバー２１がハウジング１１に取付けられ、かつ、外力が付与されていない状態では、イジェクトレバー２１の前端部２１ｄは、ハウジング１１の前端部１１ｆと同位置にある又はわずかに後方にあって、前記前端部１１ｆより前方に突出していない。したがって、後工程において、上側シェル６１がハウジング１１に取付けられる際には、上側シェル６１の前側板部６３ｆの内面がイジェクトレバー２１の前端部２１ｄから離間しており、上側シェル６１がイジェクトレバー２１に干渉することがないので、上側シェル６１の取付を容易に行うことができる。
【００４３】
また、図４及び５に示されるように、カード用トレイ１６１がカード用コネクタ１に挿入された状態において、カード用トレイ１６１を排出させるために、ユーザが手指等によってプッシュロッド２２を押込むと、イジェクトレバー２１の力点部２１ｂにはプッシュロッド２２から前方に向けた力が付与され、イジェクトレバー２１の作用点部２１ａにはカード用トレイ１６１からの反力として前方に向けた力が付与される。そのため、イジェクトレバー２１には、前方に向けた強い力が付与されることとなるが、枢軸１５とともにイジェクトレバー２１が前方に変位すると、前記前端部２１ｄが上側シェル６１の前側板部６３ｆの内面に当接する。上側シェル６１がハウジング１１に取付けられているとともに、前側板部６３ｆ等に形成されているソルダーテール部６４が電子機器の基板の表面に固定されているので、前記前側板部６３ｆは、強固であって、前記前端部２１ｄによって押されても、変位したり変形したりすることがない。これにより、枢軸１５及びイジェクトレバー２１の前方への変位が制限されるので、枢軸１５は傾斜したり破損したりすることがなく、イジェクトレバー２１の支点部２１ｃはスムーズに枢軸１５の周囲を回転することができ、イジェクトレバー２１はスムーズに枢動することができる。
【００４４】
このように、本実施の形態において、カード用コネクタ１は、ハウジング１１と、ハウジング１１の上側に取付けられる上側シェル６１と、ハウジング１１と上側シェル６１との間に挿入されたカードモジュール１０２を排出させる排出機構とを備える。そして、排出機構は、カードモジュール１０２の挿入及び排出方向にスライド可能なプッシュロッド２２と、枢軸１５の周囲に回転可能に嵌込まれる支点部２１ｃ、及び、プッシュロッド２２と係合する力点部２１ｂを含み、枢軸１５を中心として枢動可能なイジェクトレバー２１とを含み、枢軸１５は、ハウジング１１に形成された開口部１５ａ内に位置し、その周囲の一部のみが連結部１５ｂによって開口部１５ａの周縁に連結されている。
【００４５】
これにより、枢軸１５は、開口部１５ａ内で水平移動可能となり、外力を受けても傾斜したり湾曲したりすることがないので、支点部２１ｃは枢軸１５に引掛ることがなく、イジェクトレバー２１はスムーズに枢動することができる。
【００４６】
また、枢軸１５の周囲の半分以上は開口部１５ａの周縁から離間し、枢軸１５はカードモジュール１０２の挿入方向に変位可能である。したがって、枢軸１５は、一種のフローティング状態となり、スムーズに開口部１５ａ内で水平移動可能となる。
【００４７】
さらに、上側シェル６１はハウジング１１の前端部１１ｆの少なくとも一部を覆う前側板部６３ｆを含み、イジェクトレバー２１は前側板部６３ｆの内面に対向する前端部２１ｄを含む。そして、前端部２１ｄは、イジェクトレバー２１に外力が付与されていない状態において、前側板部６３ｆの内面から離間している。したがって、カード用コネクタ１の組立工程において、イジェクトレバー２１がハウジング１１に取付けられた後に、上側シェル６１がハウジング１１に取付けられる際には、上側シェル６１がイジェクトレバー２１に干渉することがないので、上側シェル６１の取付を容易に行うことができる。
【００４８】
さらに、前端部２１ｄは、枢軸１５のカードモジュール１０２の挿入方向への変位によって、前側板部６３ｆの内面に当接可能である。したがって、プッシュロッド２２から前方に向けた力を受けたり、カード用トレイ１６１から前方に向けた反力を受けたりして、イジェクトレバー２１が枢軸１５とともに、カードモジュール１０２の挿入方向に変位しても、前端部２１ｄが前側板部６３ｆの内面に当接するので、変位量が制限され、枢軸１５や連結部１５ｂが変形したり、破損したりすることがない。また、イジェクトレバー２１はスムーズに枢動することができる。
【００４９】
さらに、ハウジング１１はハウジング１１を補強する下側シェル１２を含み、下側シェル１２は一部が枢軸１５内に埋込まれる枢軸補強部１７を含む。したがって、枢軸１５や連結部１５ｂの変形や破損が、確実に防止される。
【００５０】
なお、本発明は前記実施の形態に限定されるものではなく、本発明の趣旨に基づいて種々変形させることが可能であり、それらを本発明の範囲から排除するものではない。
【産業上の利用可能性】
【００５１】
本発明は、カード用コネクタに適用することができる。
【符号の説明】
【００５２】
１    カード用コネクタ
１１    ハウジング
１１ａ    奥壁部
１１ｂ    底壁部
１１ｃ１    第１端子保持凹部
１１ｃ２    第２端子保持凹部
１１ｅ    側壁部
１１ｆ、２１ｄ    前端部
１１ｒ    後端部
１２    下側シェル
１３    掛止突起
１５    枢軸
１５ａ    開口部
１５ｂ    連結部
１７    枢軸補強部
１７ａ    埋込み部
１７ｂ    支持部
１８    挿入口
２１    イジェクトレバー
２１ａ、８２１ａ    作用点部
２１ｂ、８２１ｂ    力点部
２１ｃ    支点部
２２、８２２    プッシュロッド
２２ａ、８２２ａ    操作部
２２ｂ    係合凹部
２５    保持用ばね部材
２５ａ    保持用凸部
２７    可動部材
２８    固定部材
５１−１    第１端子
５１−２    第２端子
５１ｃ１、５１ｃ２    接触部
５１ｄ１、５１ｄ２、６４    ソルダーテール部
６１    上側シェル
６２    天板部
６３    側板部
６３ａ    掛止開口
６３ｆ    前側板部
６３ｓ    横側板部
１０１    カード
１０２    カードモジュール
１１１ｂ    裏面
１１１ｃ    切欠部
１６１    カード用トレイ
１６２    後枠部
１６３    後板部
１６４    側枠部
１６４ｃ    凸部
１６５    前枠部
１６６    カード収容凹部
１６８    保持用凹部
８１１    フレーム
８１３    ガイド部材
８２１    レバー部材
８２１ｃ    軸
【図１】
0006585416.tif 000002
【図２】
0006585416.tif 000003
【図３】
0006585416.tif 000004
【図４】
0006585416.tif 000005
【図５】
0006585416.tif 000006
【図６】
0006585416.tif 000007
【図７】
0006585416.tif 000008
【図８】
0006585416.tif 000009
【図９】
0006585416.tif 000010